(57)【要約】【課題】番組の伝送帯域を圧迫せずに、多様なメッセージを伝えることができる放送システムでのメッセージ伝送方法を提供するる【解決手段】メッセージ内容作成部３１で作成したメッセージの内容をデータ放送３５やＳＩ３６により送信し、ＥＭＭ３４では表示したいメッセージの番号のみを送信する。ＥＭＭのバイト数は激減し、また、データ放送などでメッセージの内容を送信するため、データサイズが大きいマルチメディアデータでも送ることができる。【選択図】　　図１
2004007600.tif 000002
【特許請求の範囲】
【請求項１】
受信装置に対して共通のメッセージ内容と前記メッセージ内容の番号である第１メッセージ番号とを送信するとともに、
前記受信装置で表示する前記メッセージ内容の番号である第２メッセージ番号と、前記受信装置に装着されたＩＣカードを特定する宛て名とを含む個別情報を送信する送信側装置。
【請求項２】
前記第２メッセージ番号と、前記宛て名とは、ＥＭＭにより送信されることを特徴とする送信側装置。
【請求項３】
受信装置に対して共通のメッセージ内容と前記メッセージ内容の番号である第１メッセージ番号とを受信するとともに、
前記受信装置で表示する前記メッセージ内容の番号である第２メッセージ番号と、前記受信装置に装着されたＩＣカードを特定する宛て名とを含む個別情報を受信し、
前記第２メッセージ番号に基づいて前記第１メッセージ番号を指定することにより、前記第１メッセージ番号で特定される前記メッセージ内容を表示することを特徴とする受信装置。
【請求項４】
受信装置に対して共通のメッセージ内容と前記メッセージ内容の番号である第１メッセージ番号とを送信するとともに、
前記受信装置で表示する前記メッセージ内容の番号である第２メッセージ番号と、前記受信装置に装着されたＩＣカードを特定する宛て名とを含む個別情報を送信する送信側装置の送信方法。
【請求項５】
前記第２メッセージ番号と、前記宛て名とは、ＥＭＭにより送信されることを特徴とする送信側装置の送信方法。
【請求項６】
前記受信装置に対して共通のメッセージ内容と前記メッセージ内容の番号である第１メッセージ番号とを受信するとともに、
前記受信装置で表示する前記メッセージ内容の番号である第２メッセージ番号と、前記受信装置に装着されたＩＣカードを特定する宛て名とを含む個別情報を受信し、
前記第２メッセージ番号に基づいて前記第１メッセージ番号を指定することにより、前記第１メッセージ番号で特定される前記メッセージ内容を表示することを特徴とする受信装置の表示方法。
【発明の詳細な説明】
【０００１】
【発明の属する技術分野】本発明は、放送の送信側から受信側にメッセージを伝える放送システムでのメッセージ伝送方法に関し、特に、番組の伝送帯域を圧迫せずに、メッセージを伝送することを可能にしたものである。
【０００２】
【従来の技術】デジタル放送では、番組の映像音声データに番組情報（ＥＣＭ：ＥｎｔｉｔｌｅｍｅｎｔＣｏｎｔｒｏｌ　Ｍｅｓｓａｇｅ）や個別情報（ＥＭＭ：Ｅｎｔｉｔｌｅｍｅｎｔ　Ｍａｎａｇｅｍｅｎｔ　Ｍｅｓｓａｇｅ）が多重化され、さらに、データ放送のデータや、電子番組表（ＥＰＧ）などのＳＩ（Ｓｅｒｖｉｃｅ　Ｉｎｆｏｒｍａｔｉｏｎ）情報などが多重化されて放送される。
【０００３】
ＥＣＭには、番組の映像音声データにスクランブルを掛けたスクランブル鍵（Ｋｓ）や、その番組の視聴を可能にする契約を判定するための判定情報などが含まれており、また、ＥＭＭには、各受信装置の契約情報や、Ｋｓを暗号化したワーク鍵（Ｋｗ）の情報など、個々の受信装置向けの情報が含まれている。
【０００４】
従来の放送システムでは、このＥＭＭを用いて各受信装置宛に、例えば“契約して戴いて有り難うございました”“先月の視聴料が未納です”と言った契約更新や視聴料金の案内に関するメッセージを送ることが行なわれている。
【０００５】
図６は、ＥＭＭを用いてメッセージを送信する従来の放送システムを模式的に示している。送信側装置１０は、メッセージを作成するメッセージ内容作成部１１と、そのメッセージを含めたＥＭＭを送出するＥＭＭ送出部１２と、ＥＭＭ送出部１２の出力データを映像音声データなどと多重化して送出するパケット置換機１３とを備えており、また、受信装置（ＩＲＤ）２０は、放送データを受信して自己宛のＥＭＭからメッセージを復号する信号受信部２１と、復号されたメッセージを蓄積するメッセージ蓄積部２２と、メッセージを解釈するメッセージ解釈部２３とを備えている。
【０００６】
このシステムでは、送信側装置１０のメッセージ内容作成部１１が、メッセージの文字列を作成し、ＥＭＭ送出部１２が、このメッセージと、その宛て先とを含むＥＭＭを作成し、このＥＭＭがパケット置換機１３で番組の映像音声データなどと多重化され、放送される。
【０００７】
一方、ＩＲＤ２０では、信号受信部２１が、受信したＥＭＭから自己宛のメッセージを復号する。このメッセージには「選択メッセージ」と「強制メッセージ」との二種類があり、選択メッセージの場合は、復号されたメッセージがメッセージ蓄積部２２に蓄積され、利用者が画面上の仮想メッセージボックスにアクセスした際に、メッセージ蓄積部２２から読み出され、メッセージ解釈部２３で解釈されて、画面に表示される。
【０００８】
また、強制メッセージの場合は、信号受信部２１で復号されたメッセージがメッセージ解釈部２３で解釈され、テレビ画面に強制的に表示される。
【０００９】
【発明が解決しようとする課題】しかし、ＥＭＭを用いて個人別のメッセージを伝送する従来のシステムでは、次のような問題点が存在する。
【００１０】
ＥＭＭは個人単位に送られるため、ＥＭＭでメッセージを送る場合には、宛て先とメッセージ文字列とを含むデータを、宛て先の数だけ送信しなければならない。仮に全員に同じ内容のＥＭＭメッセージを送る場合でも、同じ内容の文字列を各人ごとに送らなければならない。そのため、一つのメッセージ内のメッセージバイト数が多い場合には、ＥＭＭの伝送のために非常に多くの帯域が使用される。ＥＭＭは基本的に番組と同じ帯域で送信されるため、ＥＭＭのバイト数が長くなると、それだけ番組の伝送帯域を圧迫することになる。
【００１１】
また、従来のＥＭＭメッセージでは、テキスト（文字列）のデータしか送ることができず、画像や音声などのマルチメディアデータによりメッセージを表示することができない。
【００１２】
また、従来のメッセージは、強制メッセージの場合、送信側から放送された時点で画面に表示されるだけであり、番組とリンクさせて、例えば、番組の特定の箇所でメッセージを表示させたりすることができない。
【００１３】
本発明は、こうした従来の問題点を解決するものであり、番組の伝送帯域を圧迫せずに、画像や音声などを含む多様なメッセージを伝えることができ、また、番組とリンクさせてメッセージを表示することができる放送システムでのメッセージ伝送方法を提供することを目的としている。
【００１４】
【課題を解決するための手段】そこで、本発明のメッセージ伝送方法では、共通する１または複数のメッセージの内容をデータ放送やＳＩなどで送信し、ＥＭＭでは、表示するメッセージの番号を指定する情報や、伝送した一つのメッセージを通知するかどうかの情報だけを送信するようにしている。
【００１５】
そのため、ＥＭＭのバイト数が激減する。また、データ放送などでメッセージの内容が送信されるため、データサイズが大きいマルチメディアデータでも送ることが可能になる。
【００１６】
また、本発明では、メッセージの内容をデータ放送やＳＩにより送信し、ＥＣＭで表示したいメッセージの番号や表示のタイミングを指定する情報を送信するようにしている。
【００１７】
そのため、ＥＣＭでメッセージの種類とその表示のタイミングとを制御したり、伝送した一つのメッセージの表示時期を制御することができ、番組とメッセージとのリンクが可能になる。
【００１８】
【発明の実施の形態】本発明の請求項１に記載の発明は、放送システムでのメッセージ伝送方法において、全てのＩＲＤに対して共通のメッセージ内容を送信し、ＥＭＭにより、各ＩＲＤ宛のメッセージを特定するための情報だけを送信するようにしたものであり、送信するメッセージの共通化により、メッセージに使用する伝送帯域を削減し、ＥＭＭのバイト数を減らすことができる。
【００１９】
請求項２に記載の発明は、共通のメッセージ内容として、複数種類のメッセージ内容を送信し、ＥＭＭにより、その番号だけを指定するようにしたものであり、メッセージに使用する伝送帯域を削減し、ＥＭＭのバイト数を減らすことができる。
【００２０】
請求項３に記載の発明は、共通のメッセージ内容として、一つのメッセージ内容を送信し、ＥＭＭにより、そのメッセージ内容を各ＩＲＤ宛に通知するかどうかを指定するようにしたものであり、メッセージに使用する伝送帯域を削減し、ＥＭＭのバイト数を減らすことができる。
【００２１】
請求項４に記載の発明は、共通のメッセージ内容を、ＳＩにより送信するようにしたものであり、マルチメディアデータをメッセージ内容として表示することが可能になる。
【００２２】
請求項５に記載の発明は、共通のメッセージ内容を、データ放送のデータカルーセルにより送信するようにしたものであり、マルチメディアデータをメッセージ内容として表示することが可能になる。
【００２３】
請求項６に記載の発明は、共通のメッセージ内容を、データ放送のデータストリームにより送信するようにしたものであり、マルチメディアデータをメッセージ内容として表示することが可能になる。
【００２４】
請求項７に記載の発明は、共通のメッセージ内容を、ＥＣＭにより送信するようにしたものであり、共通化したメッセージ内容を送信することができる。
【００２５】
請求項８に記載の発明は、共通のメッセージ内容を、ＩＲＤに接続する電話回線を通じて送信するようにしたものであり、メッセージの伝送の一部を電話回線で担うことにより、ＥＭＭのデータ量を減らすことができる。
【００２６】
請求項９に記載の発明は、ＩＲＤ側で共通のメッセージ内容を蓄積し、ＥＭＭにより、各ＩＲＤ宛のメッセージを特定するための情報だけを送信するようにしたものであり、メッセージの伝送に使用する帯域を減らすことができ、また、ＥＭＭのバイト数を減らすことができる。
【００２７】
請求項１０に記載の発明は、共通のメッセージ内容を、ＩＲＤに装着されるＩＣカード内に蓄積するようにしたものであり、メッセージの伝送に使用される帯域を減らすことができる。
【００２８】
請求項１１に記載の発明は、共通のメッセージ内容を、ＩＲＤ内に蓄積するようにしたものであり、メッセージの伝送に使用される帯域を減らすことができる。
【００２９】
請求項１２に記載の発明は、共通のメッセージ内容として、複数種類のメッセージ内容を蓄積し、ＥＭＭにより、その番号だけを指定するようにしたものであり、メッセージの伝送に使用される帯域を減らし、ＥＭＭのバイト数を減らすことができる。
【００３０】
請求項１３に記載の発明は、共通のメッセージ内容として、一つのメッセージ内容を蓄積し、ＥＭＭにより、このメッセージ内容を各ＩＲＤ宛に通知するかどうかを指定するようにしたものであり、メッセージの伝送に使用される帯域を減らし、ＥＭＭのバイト数を減らすことができる。
【００３１】
請求項１４に記載の発明は、蓄積されたメッセージ内容を、送信された共通のメッセージ内容によって書き換えるようにしたものであり、各種のメッセージを表示することが可能になる。
【００３２】
請求項１５に記載の発明は、共通のメッセージ内容を、ＳＩ、データ放送またはＩＲＤに接続する電話回線により送信するようにしたものであり、ＥＭＭのデータ量の増大を避けることができる。
【００３３】
請求項１６に記載の発明は、全てのＩＲＤに対して共通のメッセージ内容を送信し、ＥＣＭにより、番組とリンクさせてメッセージを表示するための情報を送信するようにしたものであり、メッセージを番組とリンクさせて表示することが可能になる。
【００３４】
請求項１７に記載の発明は、共通のメッセージ内容として、複数種類のメッセージ内容を送信し、ＥＣＭにより、その番号だけを指定するようにしたものであり、番組とリンクさせて種々のメッセージを表示することが可能になる。
【００３５】
請求項１８に記載の発明は、共通のメッセージ内容として、一つのメッセージ内容を送信し、ＥＣＭにより、メッセージ内容の表示のタイミングを指定するようにしたものであり、一つのメッセージを番組とリンクして表示することができる。
【００３６】
請求項１９に記載の発明は、共通のメッセージ内容を、ＳＩにより送信するようにしたものであり、マルチメディアデータを内容とするメッセージを番組にリンクさせて表示することができる。
【００３７】
請求項２０に記載の発明は、共通のメッセージ内容を、データ放送のデータカルーセルにより送信するようにしたものであり、マルチメディアデータを内容とするメッセージを番組にリンクさせて表示することができる。
【００３８】
請求項２１に記載の発明は、共通のメッセージ内容を、データ放送のデータストリームにより送信するようにしたものであり、マルチメディアデータを内容とするメッセージを番組にリンクさせて表示することができる。
【００３９】
請求項２２に記載の発明は、共通のメッセージ内容を、ＩＲＤに接続する電話回線を通じて送信するようにしたものであり、マルチメディアデータを内容とするメッセージを番組にリンクさせて表示することができる。
【００４０】
請求項２３に記載の発明は、ＩＲＤ側で共通のメッセージ内容を蓄積し、ＥＣＭにより、番組とリンクさせてメッセージを表示するための情報を送信するようにしたものであり、メッセージの伝送に使用される帯域を減らし、番組とリンクしてメッセージを表示することができる。
【００４１】
請求項２４に記載の発明は、共通のメッセージ内容を、ＩＲＤに装着されるＩＣカード内に蓄積するようにしたものであり、メッセージの伝送に使用される帯域を減らすことができる。
【００４２】
請求項２５に記載の発明は、共通のメッセージ内容を、ＩＲＤ内に蓄積するようにしたものであり、メッセージ内容を予めＩＲＤ内に持つことによって、メッセージの伝送帯域を減らすことができる。
【００４３】
請求項２６に記載の発明は、共通のメッセージ内容として、複数種類のメッセージ内容を蓄積し、ＥＣＭにより、その番号だけを指定するようにしたものであり、複数のメッセージを番組にリンクさせて表示することができる。
【００４４】
請求項２７に記載の発明は、共通のメッセージ内容として、一つのメッセージ内容を蓄積し、ＥＣＭにより、このメッセージ内容の表示のタイミングを指定するようにしたものであり、一つのメッセージを番組にリンクさせて表示することができる。
【００４５】
請求項２８に記載の発明は、蓄積されたメッセージ内容を、送信された共通のメッセージ内容によって書き換えるようにしたものであり、種々のメッセージを番組にリンクさせて表示することが可能になる。
【００４６】
請求項２９に記載の発明は、共通のメッセージ内容を、ＳＩ、データ放送またはＩＲＤに接続する電話回線により送信するようにしたものであり、マルチメディアデータを内容とするメッセージを番組にリンクさせて表示することができる。
【００４７】
請求項３０に記載の発明は、ＩＲＤに装着されるＩＣカードにメッセージを蓄積して出荷し、ＩＲＤでこのＩＣカードが最初に利用されるとき、メッセージがＩＲＤに表示されるようにしたものであり、ＩＣカードが最初に使用されるときに、購入を感謝するメッセージ等を表示させることができる。
【００４８】
以下、本発明の実施の形態について、図面を用いて説明する。
（第１の実施形態）
第１の実施形態の放送システムは、図１に示すように、送信側装置３０と、受信側のＩＲＤ４０と、ＩＲＤ４０に装着されたセキュリティモジュール４５とから成る。セキュリティモジュール４５は、ＩＣカードなどで構成され、暗号解読用の鍵や契約情報などの秘密情報を記憶する。
【００４９】
送信側装置３０は、メッセージを作成するメッセージ内容作成部３１と、番組の映像・音声データをスクランブルするスクランブラ３２と、スクランブル鍵Ｋｓを生成し、Ｋｓを含むＥＣＭを送出するスクランブル制御部３３と、ＥＭＭを生成し送出するＥＭＭ送出部３４と、データ放送用のデータを生成し送出するデータ放送送出部３５と、ＳＩ情報を生成し送出するＳＩ情報送出部３６と、各部からのデータを多重化して送信するパケット置換機３７とを備えている。
【００５０】
また、ＩＲＤ４０は、放送信号を受信して振り分ける信号受信部４１と、スクランブルされているデータをデスクランブルするデスクランブラ４２と、受信したメッセージを蓄積するメッセージ蓄積部４３と、メッセージを解釈するメッセージ解釈部４４とを備え、セキュリティモジュール４５は、暗号化されているＥＭＭを復号化して解釈するＥＭＭ解釈部４６を備えている。
【００５１】
この放送システムでは、メッセージの複数種類の内容がデータ放送、ＳＩ情報またはＥＣＭを通じて受信側に共通に送信され、また、ＩＲＤ４０のセキュリティモジュール４５を特定する宛て名とメッセージの種類を特定する情報とがＥＭＭを通じて送信される。各ＩＲＤは、データ放送、ＳＩ情報またはＥＣＭを通じて受信したメッセージの複数種類の内容を保持し、その中から、自己宛のＥＭＭを通じて伝えられた種類のメッセージを表示する。
【００５２】
いま、メッセージの複数種類の内容をデータ放送を通じて送信し、各ＩＲＤ宛のメッセージをＥＭＭによって特定する（ポインティングする）場合について説明する。
【００５３】
送信側装置３０のメッセージ内容作成部３１は、複数種類のメッセージ内容を作成する。その際に、作成した各メッセージのＩＤを管理する。このメッセージは、データ放送送出部３５を通じて出力され、パケット置換機３７で他の情報と多重化され、ＩＲＤ４０に対して送信される。データ放送送出部３５は、このメッセージを繰り返し（データカルーセルで）放送しても良いし、一度だけ（データストリームで）放送してもよい。
【００５４】
ＩＲＤ４０は、この信号を信号受信部４１で受信し、メッセージが暗号化されている場合には、デスクランブラ４２で暗号を解き、復号化したメッセージをメッセージ蓄積部４３に蓄積する。
【００５５】
こうして、各ＩＲＤ４０には、複数種類のメッセージ内容が共通して保持されることになる。
【００５６】
メッセージを実際に視聴者に対して送信したい場合に、送信側装置３０のメッセージ内容作成部３１は、送信先とメッセージＩＤとを指定して送信の指示を出す。これを受けて、ＥＭＭ送出部３４は、送信先のセキュリティモジュールを宛て先とするＥＭＭにメッセージＩＤを含めて送信する。このＥＭＭのデータ形式を図２に示している。
【００５７】
ＩＲＤ４０では、受信したＥＭＭをセキュリティモジュール４５に渡し、セキュリティモジュール内のＥＭＭ解釈部４６は、自己宛のＥＭＭを検出して、そこに含まれたメッセージＩＤを基に、ＩＲＤ内のメッセージ解釈部４４に対してメッセージを指定する。メッセージ解釈部４４は、指定されたメッセージの内容を、メッセージ蓄積部４３より取得し、画面上に表示する。
【００５８】
このように、このシステムでは、メッセージ内容をデータ放送で送信し、ＥＭＭでは、表示したいメッセージの番号のみを送信している。そのため、ＥＭＭのバイト数は極めて少なくて済む。また、各ＩＲＤが受信するメッセージ内容は共通しているから、個別に送る必要がない。従って、個々にメッセージを送信する場合に比べて、伝送帯域の使用量は激減する。また、ＥＭＭに比べてサイズの大きいデータを送信することが可能なデータ放送でメッセージ内容を送信しているため、マルチメディアデータ（ＭＨＥＧやＨＴＭＬなど）をメッセージ内容に含めることも可能となる。
【００５９】
また、メッセージの複数種類の内容をＳＩ情報に含め、ＳＩ情報送出部３６から送信する場合でも、同様の効果を得ることができる。
【００６０】
また、メッセージの複数種類の内容をＥＣＭに含めてスクランブラ制御部３３から送信することもできる。この場合も、メッセージの複数種類の内容を、ＥＣＭを通じて各ＩＲＤに共通に送ることができるから、個々にメッセージを送信する場合に比べて、伝送帯域の使用量を大幅に減らすことができる。
【００６１】
また、メッセージの内容は、ＩＲＤに接続されている電話回線を通じてＩＲＤに送信することも可能である。
【００６２】
なお、データ放送、ＳＩ情報、ＥＣＭまたは電話回線に含めて送信するメッセージの数は１つだけでも良く、その場合、ＥＭＭにより、そのメッセージを各人に通知するかどうかが指定される。
【００６３】
（第２の実施形態）
第２の実施形態の放送システムは、ＥＣＭでポインティングすることによって番組とメッセージとをリンクさせることができる。
【００６４】
この放送システムは、図２に示すように、セキュリティモジュール４５に、受信したＥＣＭを復号化して解釈するＥＣＭ解釈部４７を具備している。その他の構成は第１の実施形態（図１）と変わりがない。
【００６５】
この放送システムでは、メッセージの複数種類の内容がデータ放送、ＳＩ情報または電話回線を通じて受信側に共通に送信され、また、メッセージを表示するタイミングに、メッセージの種類を特定する情報がＥＣＭを通じて送信される。各ＩＲＤは、データ放送、ＳＩ情報または電話回線を通じて受信したメッセージの複数種類の内容を保持し、ＥＣＭによってメッセージの種類を特定する情報が伝えられたとき、保持するメッセージの中から、指定されたメッセージを表示する。
【００６６】
このシステムにおいて、ＩＲＤ４０のメッセージ蓄積部４３に複数種類のメッセージ内容が保持されるまでの動作は第１の実施形態と変わりがない。
【００６７】
番組を視聴中の視聴者に特定のメッセージを表示したい時、送信側装置３０のメッセージ内容作成部３１は、そのメッセージのＩＤをスクランブラ制御部３３に送る。これを受けて、スクランブラ制御部３３は、そのメッセージＩＤを含むＥＣＭを送信する。このＥＣＭのデータ形式を図４に示している。
【００６８】
ＩＲＤ４０では、受信したＥＣＭをセキュリティモジュール４５に渡し、セキュリティモジュール内のＥＣＭ解釈部４７は、そこに含まれたメッセージＩＤを解読して、ＩＲＤ内のメッセージ解釈部４４に対してメッセージを指定する。メッセージ解釈部４４は、指定されたメッセージの内容を、メッセージ蓄積部４３より取得し、画面上に表示する。
【００６９】
このように、このシステムでは、メッセージ内容をデータ放送やＳＩ情報などで送信し、ＥＣＭで、表示したいメッセージの番号を送信することによって、メッセージを番組とリンクさせて表示することができる。
【００７０】
前述するように、強制メッセージを利用する場合には、番組のある瞬間に特定のメッセージを画面表示することが可能になる。また、選択メッセージを利用する場合には、ある番組を視聴している人のみに連絡する情報を指示することができ、例えば、番組を見た人だけに、番組キーワードを指定して、応募の資格を与えたりすることができる。
【００７１】
なお、データ放送、ＳＩ情報または電話回線で送信するメッセージの数は１つだけでも良く、その場合、ＥＣＭにより、そのメッセージの表示タイミングだけが指定される。
【００７２】
（第３の実施形態）
第３の実施形態の放送システムでは、メッセージの内容がセキュリティモジュールのメモリに予め記憶される。
【００７３】
この放送システムは、図５に示すように、セキュリティモジュール（ＩＣカード）４５にメッセージ蓄積部４３を具備している。その他の構成は第１及び第２の実施形態と変わりがない。
【００７４】
このメッセージ蓄積部４３には、予め、１または複数種類のメッセージ内容が記憶されており、メッセージ数が複数の場合には、その中のメッセージ番号がＥＭＭやＥＣＭによって指定され、メッセージ数が一つの場合には、そのメッセージを各人に通知するかどうかがＥＭＭにより指定され、また、そのメッセージの表示タイミングがＥＣＭによって指定される。ＥＭＭやＥＣＭでメッセージ番号を指定するときの動作は、第１及び第２の実施形態と同じである。
【００７５】
また、新たなメッセージ内容を送信側装置３０からデータ放送やＳＩ情報、電話回線などで送信し、ＩＣカード４５のメッセージ蓄積部４３に記憶されているメッセージ内容を書き換えることも可能である。この場合のメッセージ蓄積部４３にメッセージ内容を記憶させる動作は、第１及び第２の実施形態と同じである。
【００７６】
このように、ＩＣカード内にメッセージの内容を蓄積しておくことによっても、第１及び第２の実施形態と同様の効果を上げることができる。
【００７７】
また、ＩＣカードを利用してメッセージを伝える方法として、ＩＣカードに「購入して戴いてありがとうございました」などのメッセージを１つだけ蓄積した状態で出荷し、ＩＣカードの最初の利用時（ＩＲＤに挿入し、電源が入った時）に、そのメッセージがＩＲＤの画面に表示されるようにしても良い。
【００７８】
また、第３の実施形態の変形として、メッセージ内容を記憶するメッセージ蓄積部をＩＲＤ内に設け、そこに、１または複数種類のメッセージを予め記憶させたり、データ放送やＳＩ情報などを通じて取得したメッセージを書き込んだりしても良い。
【００７９】
【発明の効果】以上の説明から明らかなように、本発明のメッセージ伝送方法では、大容量のメッセージ内容を送信することができ、マルチメディアデータ（ＭＨＥＧやＨＴＭＬなど。特にデータ形式は問わない）をメッセージ内容として表示することが可能である。
【００８０】
また、ＥＭＭのサイズが劇的に少なくなるため、番組の伝送帯域を圧迫することがない。
【００８１】
また、ＥＣＭとメッセージとをリンクさせることにより、番組のある瞬間にメッセージを画面表示したり、また、ある番組を視聴している人のみに情報を連絡したりすることができる。
【図面の簡単な説明】
【図１】本発明の第１の実施形態における放送システムの構成を示すブロック図、
【図２】第１の実施形態のＥＭＭのデータ構成を示す図、
【図３】本発明の第２の実施形態における放送システムの構成を示すブロック図、
【図４】第２の実施形態のＥＣＭのデータ構成を示す図、
【図５】本発明の第３の実施形態における放送システムの構成を示すブロック図、
【図６】従来の放送システムの構成を示すブロック図である。
【符号の説明】
１０、３０　送信側装置
１１、３１　メッセージ内容作成部
１２、３４　ＥＭＭ送出部
１３、３７　パケット置換機
２０、４０　ＩＲＤ
２１、４１　信号受信部
２２、４３　メッセージ蓄積部
２３、４４　メッセージ解釈部
３２　スクランブラ
３３　スクランブル制御部
３５　データ放送送出部
３６　ＳＩ情報送出部
４２　デスクランブラ
４５　セキュリティモジュール
４６　ＥＭＭ解釈部
４７　ＥＣＭ解釈部
【図１】
2004007600.tif 000003
【図２】
2004007600.tif 000004
【図３】
2004007600.tif 000005
【図４】
2004007600.tif 000006
【図５】
2004007600.tif 000007
【図６】
2004007600.tif 000008
【手続補正書】
【提出日】平成15年6月5日(2003.6.5)
【手続補正１】
【補正対象書類名】明細書
【補正対象項目名】特許請求の範囲
【補正方法】変更
【補正の内容】
【特許請求の範囲】
【請求項１】
受信装置に対して共通のメッセージ内容と前記メッセージ内容の番号である第１メッセージ番号とを送信するとともに、
前記受信装置で表示する前記メッセージ内容の番号である第２メッセージ番号と、前記受信装置に装着されたＩＣカードを特定する宛て名とを含む個別情報を送信する送信側装置。
【請求項２】
前記第２メッセージ番号と、前記宛て名とは、ＥＭＭにより送信されることを特徴とする請求項１記載の送信側装置。
【請求項３】
受信装置に対して共通のメッセージ内容と前記メッセージ内容の番号である第１メッセージ番号とを受信するとともに、
前記受信装置で表示する前記メッセージ内容の番号である第２メッセージ番号と、前記受信装置に装着されたＩＣカードを特定する宛て名とを含む個別情報を受信し、
前記第２メッセージ番号に基づいて前記第１メッセージ番号を指定することにより、前記第１メッセージ番号で特定される前記メッセージ内容を表示することを特徴とする受信装置。
【請求項４】
受信装置に対して共通のメッセージ内容と前記メッセージ内容の番号である第１メッセージ番号とを送信するとともに、
前記受信装置で表示する前記メッセージ内容の番号である第２メッセージ番号と、前記受信装置に装着されたＩＣカードを特定する宛て名とを含む個別情報を送信する送信側装置の送信方法。
【請求項５】
前記第２メッセージ番号と、前記宛て名とは、ＥＭＭにより送信されることを特徴とする請求項４記載の送信側装置の送信方法。
【請求項６】
前記受信装置に対して共通のメッセージ内容と前記メッセージ内容の番号である第１メッセージ番号とを受信するとともに、
前記受信装置で表示する前記メッセージ内容の番号である第２メッセージ番号と、前記受信装置に装着されたＩＣカードを特定する宛て名とを含む個別情報を受信し、
前記第２メッセージ番号に基づいて前記第１メッセージ番号を指定することにより、前記第１メッセージ番号で特定される前記メッセージ内容を表示することを特徴とする受信装置の表示方法。